(57)【要約】【課題】ケーブルリールを回転動作させた際の異音発生を低減し、発生した異音は外部に漏れないようにする。【解決手段】外筒となる固定体１２に内筒となる可動体１１を回転自在に組みつけ、固定体１２と可動体１１とで形成される環状中空部２０にフラットケーブル１４を収容し、該フラットケーブル１４の長さ方向の両端を可動体１１と固定体１２とに連結しているケーブルリール１０において、環状中空部２０を包囲する外周壁１２ａ、内周壁１１ａ、上壁１１ｄおよび底壁１２ｄのうち少なくとも１つは２重壁構造とし、該２重壁を構成する２つの壁１１ｂ、１２ｂと１１ｃ、１２ｃの間には空間１１ｅ、１２ｅを設けている。【選択図】　図１
2004063236.tif 000002
【特許請求の範囲】
【請求項１】
外筒となる固定体に内筒となる可動体を回転自在に組みつけ、上記固定体と可動体とで形成される環状中空部にフラットケーブルを収容し、該フラットケーブルの長さ方向の両端を上記可動体と固定体とに連結しているケーブルリールにおいて、
上記環状中空部を包囲する外周壁、内周壁、上壁および底壁のうち少なくとも１つは２重壁構造とし、該２重壁を構成する２つの壁の間には空間を設けていることを特徴とするケーブルリール。
【請求項２】
上記環状中空部の底壁の上面に環状の滑性シートを備えていると共に、上記環状中空部の上壁の下面に環状の弾性シートを備えている請求項１に記載のケーブルリール。
【請求項３】
上記２重壁を構成する２つの壁の間の空間には吸音材を設けている請求項１または請求項２に記載のケーブルリール。
【発明の詳細な説明】
【０００１】
【発明の属する技術分野】
本発明は、自動車のステアリング装置に装備するケーブルリールに関するものである。
【０００２】
【従来の技術】
従来、自動車のステアリング装置には、図７に示すようなケーブルリール１が搭載されている。
前記ケーブルリール１は、ステアリングコラム側に固定される固定体（ケース）３と、ハンドル側に固定される可動体（ロータ）２とが回転自在に連結されており、固定体３と可動体２との間に形成される環状中空部６内にフラットケーブル５を巻き回して収容していると共に、固定体２の底壁部３ｂの上面に環状の滑性シート４を設けている。
【０００３】
【発明が解決しようとする課題】
上記ケーブルリール１は、ハンドルの回転に伴って可動体２が回転し、該可動体２に連結されたフラットケーブル５が環状中空部６内で巻き回し（或いは巻き戻し）される。
しかしながら、フラットケーブル５の巻き回し（或いは巻き戻し）の際には、フラットケーブル５と可動体２（あるいは固定体３）との摺接や、フラットケーブル５同士の摺接により摺動音が発生する問題がある。
上記ケーブルリール１では、フラットケーブル５と底壁部３ｂとの間に滑性シート４を介在させて摺動音の低減を図っているが、自動車の更なる品質向上を目指すために、より高度な静音化対策が望まれている。
【０００４】
本発明は上記問題に鑑みてなされたもので、ケーブルリールを回転動作させた際の異音発生を低減し、発生した異音は外部に漏れないようにすることを課題としている。
【０００５】
【課題を解決するための手段】
上記課題を解決するため、本発明は、外筒となる固定体に内筒となる可動体を回転自在に組みつけ、上記固定体と可動体とで形成される環状中空部にフラットケーブルを収容し、該フラットケーブルの長さ方向の両端を上記可動体と固定体とに連結しているケーブルリールにおいて、
上記環状中空部を包囲する外周壁、内周壁、上壁および底壁のうち少なくとも１つは２重壁構造とし、該２重壁を構成する２つの壁の間には空間を設けていることを特徴とするケーブルリールを提供している。
【０００６】
上記構成とすると、異音発生原因であるフラットケーブルを収容する上記環状中空部の外周壁、内周壁、上壁および底壁のうち少なくとも１つを２重壁構造としているので、たとえフラットケーブルの巻き回し（或いは巻き戻し）の際に、フラットケーブルと可動体（あるいは固定体）との摺接や、フラットケーブル同士の摺接による摺動音などの異音が発生したとしても、２重の壁で遮音することができ、外部に異音が漏れるのを防止することができる。
詳しくは、上記環状中空部で発生した異音は、上記２重壁の２つの壁のうち環状中空部側に位置する第一壁を遮音壁として減衰され、該減衰された異音は空気層となる上記空間で更に減衰され、該減衰された異音が外部側の第二壁を遮音壁として遮音される。
【０００７】
また、上記環状中空部の底壁の上面に環状の滑性シートを備えていると共に、上記環状中空部の上壁の下面に環状の弾性シートを備えていると好ましい。
【０００８】
上記構成とすると、上記環状中空部で巻き回される（或いは巻き戻される）フラットケーブルは上記滑性シート上を摺動するので、フラットケーブルの摺動摩擦が大幅に低減され、摺動音の発生が防止される。
また、上記環状中空部の上壁に弾性シートを備えることで、フラットケーブルの上端と上壁との間に該弾性シートが介在するので、フラットケーブルが上下に振動しても弾性シートで吸収され、フラットケーブルの衝突音の発生を防止することができる。
【０００９】
上記２重壁を構成する２つの壁の間の空間には吸音材を設けていると好適である。
上記構成とすると、上記環状中空部で発生した異音は、上記２重壁の２つの壁のうち環状中空部側に位置する第一壁を遮音壁として減衰され、該減衰された異音は吸音層となる上記吸音材で吸音され、ここで吸音減衰しきれなかった異音は外部側の第二壁を遮音壁として遮音される。
なお、上記吸音材はスポンジ、ガラスウール、ロックウール等を用いると好適である。
【００１０】
【発明の実施の形態】
以下、本発明の実施形態を図面を参照して詳述する。
図１乃至図３は第１実施形態を示す。
ケーブルリール１０は、ステアリングコラム（図示せず）側に固定され、底壁部１２ｄの外周より外周壁１２ａを突設して外筒となる固定体１２に、ハンドル（図示せず）側に固定されて内周壁１１ａの上端より外方に上壁部１１ｄを突設した内筒となる可動体１１が相対的に回転可能に連結されており、固定体１２と可動体１１との間に形成された環状中空部２０には、フラットケーブル１４の長さ方向の両端を可動体１１と固定体１２とに夫々連結された状態で巻き回されて収容されている。
【００１１】
固定体１２は、外周壁１２ａを内側の第一壁１２ｂと外側の第二壁１２ｃとで構成された２重壁構造とし、第一壁１２ｂと第二壁１２ｃとの間に空間１２ｅをあけている。なお、第一壁１２ｂは第二壁１２ｃよりも低背とし、空間１２ｅの所要位置には第一壁１２ｂと第二壁１２ｃとを連結する補強用のリブ１２ｆを設けている。
可動体１１は、内周壁１１ａを内側の第一壁１１ｂと外側の第二壁１１ｃとで構成された２重壁構造とし、第一壁１１ｂと第二壁１１ｃとの間に空間１１ｅをあけている。
【００１２】
図３に示すように、固定体１２の底壁部１２ｄの上面に環状の滑性シート１５を敷設し、該滑性シート１５の上面でフラットケーブルを巻回状態で収容し、可動体１１の上壁部１１ｄの下面に環状の弾性シート１３を設けた状態で、固定体１２に可動体１１を回転自在に組み付けている。
また、固定体１２の外周壁１２ａの第一壁１２ｂの内径は、弾性シート１３の外径よりも小さくしており、弾性シート１３の外周端が第一壁１２ｂの上端より外方にラップして配置していると共に、第一壁１２ｂは弾性シート１３の下面に達しない高さとし、弾性シート１３と固定体１２との間に若干のクリアランスあけて配置されている。
なお、フラットケーブル１４は、間隔をあけて平行配線した銅箔からなる導体を間隔をあけて並列させ、その上下両面を絶縁樹脂フィルムでラミネートしたものを用いている。
【００１３】
上記構成とすると、異音発生原因であるフラットケーブル１４を収容する環状中空部２０の外周壁１２ａおよび内周壁１１ａを２重壁構造としているので、フラットケーブル１４の巻き回し（或いは巻き戻し）の際に、フラットケーブル１４と可動体１１あるいは固定体１２との摺接や、フラットケーブル１４同士の摺接による摺動音などの異音が発生したとしても、２重の壁１１ａ、１２ａで遮音することができ、外部に異音が漏れるのを防止できる。
【００１４】
環状中空部２０で発生した異音の外部への音漏れ防止プロセスを詳述すると、環状中空部２０で発生した異音を２重壁である内周壁１１ａおよび外周壁１２ａの第一壁１１ｂ、１２ｂが遮音壁として減衰させ、その減衰された異音は空気層となる空間１１ｅ、１２ｅで更に減衰され、その更に減衰された異音を第二壁１１ｃ、１２ｃを遮音壁として遮音している。
【００１５】
また、環状中空部２０で巻き回される（或いは巻き戻される）フラットケーブル１４は滑性シート１５上を摺動するので、フラットケーブル１４の摺動摩擦が大幅に低減され、摺動音の発生を防止できる。
さらに、環状中空部２０の上壁部１１ｄに弾性シート１３を備えてフラットケーブル１４の上端と上壁部１１ｄとの間に弾性シート１３を介在させているので、フラットケーブル１４が上下に振動しても弾性シート１３で吸収され、フラットケーブル１３の衝突音の発生を防止することができる。
【００１６】
なお、本実施形態では、外周壁１２ａと内周壁１１ａの両方を２重壁構造としているが、いずれか一方のみでも構わない。
また、フラットケーブル１４の上端と上壁部１１ｄとの間に介在させる弾性シート１３の下面に滑性シートあるいは滑性剤を介在させてもよく、フラットケーブル１４の下端と底壁部１２ｄとの間に介在させる滑性シート１５についても、弾性シートの上面に滑性シートあるいは滑性剤を介在させる構成としてもよい。
さらに、本実施形態では内周壁１１ａ、外周壁１２ａを２重に設けたが、３重以上にしても構わない。
【００１７】
図４は第２実施形態を示す。
第１実施形態との相違点は、２重壁構造を有する内周壁１１ａおよび外周壁１２ａの第一壁１１ｂ、１２ｂと第二壁１１ｃ、１２ｃとの間の空間に吸音材１６を挿入している点である。
なお、吸音材１６は具体的にはスポンジ、ガラスウール、ロックウール等を用いている。
【００１８】
環状中空部２０で発生した異音の外部への音漏れ防止プロセスを詳述すると、環状中空部２０で発生した異音を２重壁である内周壁１１ａおよび外周壁１２ａの第一壁１１ｂ、１２ｂが遮音壁として減衰させ、その減衰された異音は吸音層となる吸音材１６で更に吸音減衰され、その更に減衰された異音を第二壁１１ｃ、１２ｃを遮音壁として遮音している。
なお、他の構成は第１実施形態と同様であるため説明を省略する。
【００１９】
図５は第３実施形態を示す。
第１実施形態との相違点は、固定体１２’の外周壁１２ａ’の第一壁１２ｂ’を周方向に間隔をあけて４箇所分断している点である。
【００２０】
第一壁１２ｂ’を分断した箇所は、第二壁１２ｃ’のみとなる窪部１２ｇ’としており、固定体１２’の底壁部の上面に配置される滑性シート１５’は、窪部１２ｇ’に対応する位置に突出部１５ａ’を設けている。
そして、滑性シート１５’の４つの突出部１５ａ’を固定体１２’の４つの窪部１２ｇ’に嵌め込むことにより、滑性シート１５’の回転止めを図っている。滑性シート１５’が回転してしまうと、固定体１２’との間で摩擦音を発生させてしまう恐れがあるが、このように、滑性シート１５’の回転止めを行うことで、上記摩擦音も防止することができる。
【００２１】
図６は第４実施形態を示す。
本実施形態の固定体１２”は、外周壁体１７と底壁体１８との別部材を組み合わせて構成している。
【００２２】
外周壁体１７は、内側の第一壁１７ｂと外側の第二壁１７ｃとで構成された２重壁構造とし、第一壁１７ｂと第二壁１７ｃとの間に空間１７ｅをあけている。なお、第一壁１７ｂは第二壁１７ｃよりも低背としている。
底壁体１８も、上側の第一壁１８ｂと下側の第二壁１８ｃとで構成された２重壁構造とし、第一壁１８ｂと第二壁１８ｃとの間に空間１８ｅをあけている。
なお、可動体１１’は、内周壁１１ａ’を２重壁構造にしていないが、２重壁構造としても良いことは言うまでもない。
【００２３】
上記構成とすると、ケーブルリールの下方側（底壁体１８の下側外部）への異音の漏れも防止することができる。
なお、可動体１１’の上壁部１１ｄ’も２重壁構造としても好適である。その場合には、上記固定体１２”と同様にして可動体１１’の内周壁１１ａ’と上壁部１１ｄ’とを別部材として、組み付けにより可動体を構成するとよい。
他の構成は第１実施形態と同様であるため説明を省略する。
【００２４】
【発明の効果】
以上の説明より明らかなように、本発明によれば、フラットケーブルを収容する上記環状中空部の外周壁、内周壁、上壁および底壁のうち少なくとも１つを２重壁構造としているので、上記環状中空部内でフラットケーブルの摺動音などの異音が発生したとしても、２重の壁で遮音することができ、外部に異音が漏れるのを防止することができる。特に、２つの壁の間に設けられた空間に吸音材を設けると吸音効果が増大し好ましい。
【００２５】
また、上記環状中空部の底壁の上面に滑性シートを備えることで、フラットケーブルの摺動摩擦が大幅に低減され、摺動音の発生が防止される。さらに、上記環状中空部の上壁の下面に弾性シートを備えることで、フラットケーブルの衝突音の発生を防止することができる。
【図面の簡単な説明】
【図１】（Ａ）は本発明の１実施形態の固定体の上面図、（Ｂ）は断面図である。
【図２】第１実施形態の可動体の下面図、（Ｂ）は断面図である。
【図３】第１実施形態のケーブルリールの断面図である。
【図４】第２実施形態のケーブルリールの断面図である。
【図５】第３実施形態の固定体の上面図である。
【図６】第４実施形態のケーブルリールの断面図である。
【図７】従来のケーブルリールの断面図である。
【符号の説明】
１０　　　　　　　ケーブルリール
１１　　　　　　　可動体
１１ａ　　　　　　内周壁
１１ｂ、１２ｂ　　第一壁
１１ｃ、１２ｃ　　第二壁
１１ｄ　　　　　　上壁部
１１ｅ、１２ｅ　　空間
１２　　　　　　　固定体
１２ａ　　　　　　外周壁
１２ｄ　　　　　　底壁部
１３　　　　　　　弾性シート
１４　　　　　　　フラットケーブル
１５　　　　　　　滑性シート
１６　　　　　　　吸音材
２０　　　　　　　環状中空部
【図１】
2004063236.tif 000003
【図２】
2004063236.tif 000004
【図３】
2004063236.tif 000005
【図４】
2004063236.tif 000006
【図５】
2004063236.tif 000007
【図６】
2004063236.tif 000008
【図７】
2004063236.tif 000009